(57)【特許請求の範囲】
【請求項１】
文字情報、音声情報、画像情報を通信情報として送受信する送受信部と、前記通信情報を表示する表示部と、予め複数の画像を記憶している記憶装置と、乱数を発生する乱数発生装置と、を備える、撮影機能付き携帯電話であって、
前記撮影機能によって撮影画像を生成し、予め記憶した前記複数の画像の各々に識別番号を付与し、前記乱数発生装置で乱数を発生し、当該乱数と送受信部における受信強度の履歴とに基づいて対応する前記識別番号を選択し、前記複数の画像のうち選択された前記識別番号をもつ画像を付加画像に決定し、前記撮影画像と前記付加画像を合成して合成画像を生成し、前記送受信部より前記合成画像を送信し、
前記携帯電話とは別個の携帯電話が、前記送受信部に前記合成画像を受信し、当該別個の携帯電話の表示部に、前記合成画像を表示する、携帯電話。
【請求項２】
請求項１の携帯電話と通信回線で通信可能に接続され、文字情報、音声情報、画像情報を通信情報として送受信する送受信部と、予め前記複数の画像を記憶する記憶装置と、乱数を発生する乱数発生装置と、を備える、サーバであって、
前記送受信部に前記携帯電話から前記撮影画像を受信し、予め記憶した前記複数の画像の各々に前記識別番号を付与し、前記乱数発生装置で乱数を発生し、当該乱数と前記携帯電話の送受信部における受信強度の履歴とに基づいて対応する前記識別番号を選択し、前記複数の画像のうち選択された前記識別番号をもつ画像を付加画像に決定し、前記撮影画像と前記付加画像を合成して合成画像を生成し、前記送受信部より前記携帯電話とは別個の携帯電話に前記合成画像を送信する、サーバ。
【請求項３】
請求項１の携帯電話において、当該携帯電話の現在位置を測定し位置情報を生成する位置測定装置と、文字情報、音声情報、前記位置情報、画像情報を通信情報として送受信する送受信部と、を備え、
前記位置情報より関連付けられた前記識別番号を選択し、前記複数の画像のうち選択された前記識別番号をもつ画像を付加画像に決定し、前記撮影画像と前記付加画像を合成して合成画像を生成し、前記送受信部より前記合成画像を送信し、前記携帯電話とは別個の携帯電話は前記送受信部に前記合成画像を受信し、当該別個の携帯電話の表示部に、前記合成画像を表示する、携帯電話。
【請求項４】
請求項３の携帯電話と通信回線で通信可能に接続され、文字情報、音声情報、前記位置情報、画像情報を通信情報として送受信する送受信部と、を備え、前記位置情報より関連付けられた前記識別番号を選択し、前記複数の画像のうち選択された前記識別番号をもつ画像を付加画像に決定し、前記撮影画像と前記付加画像を合成して合成画像を生成し、前記送受信部より前記携帯電話とは別個の携帯電話に前記合成画像を送信する、サーバ。
【請求項５】
文字情報、音声情報、位置情報、画像情報を通信情報として送受信する送受信部と、前記通信情報を表示する表示部と、予め複数の画像を記憶している記憶装置と、現在位置を測定し前記位置情報を生成する位置測定装置と、を備える撮影機能付き携帯電話と、
文字情報、音声情報、前記位置情報、画像情報を通信情報として送受信する送受信部と、予め前記複数の画像を記憶する記憶装置と、乱数を発生する乱数発生装置と、を備え、前記携帯電話と通信回線で通信可能に接続されたサーバと、
を備えるシステムであって、
前記携帯電話は、前記撮影機能によって撮影画像を生成し、当該携帯電話の現在位置を測定し前記位置情報を生成し、前記送受信部より前記撮影画像、及び、前記位置情報を送信し、
前記サーバは、通信回線より送受信部に、前記携帯電話から前記撮影画像を受信し、予め記憶した前記複数の画像の各々に前記識別番号を付与し、前記位置情報より関連付けられた前記識別番号を選択し、前記複数の画像のうち選択された前記識別番号をもつ画像を付加画像に決定し、前記撮影画像と前記付加画像を合成して合成画像を生成し、前記送受信部より前記携帯電話とは別個の携帯電話に前記合成画像を送信し、
前記携帯電話とは別個の携帯電話は前記送受信部に前記合成画像を受信し、当該別個の携帯電話の表示部に、前記合成画像を表示する、システム。
【発明の詳細な説明】
【０００１】
【発明の属する技術分野】
本発明は、被写体の撮影や、撮影した画像の表示、保存及び送受信等を行うＰＨＳや携帯電話等の撮影機能付の通信装置に関する。
【０００２】
【従来技術】
今日における携帯電話等の通信装置は、単なる通話機能のみならず、メール等の文字情報の送受信や、着信メロディ等の音声情報の受信や、画像情報の送受信を行えるものが現れてきている。
【０００３】
更に、特開平１１−２０５７６１に開示されている装置の如く、ディジタルカメラ等の撮影機能を有する通信装置も登場してきており、この装置は、撮影した画像を写真つきメールとして他の通信装置に送信できるものである。
【０００４】
また、特開平１１−８８３１号公報に開示されている如き装置は、カメラにおいて撮影された画像とユーザが選択した背景画像とを合成する合成写真機能を有するもので、カメラにおいて合成された画像をプリンターに直接印刷するものであった。この装置は、カメラで撮影した画像に脚色を加えた画像を簡易に印刷せんとしてなされたものであった。
【０００５】
【発明が解決しようとする課題】
しかし乍、上述した撮影機能を有する通信装置は、撮影した画像そのものを送るものであり、この従来の通信装置において撮影する画像は、記録や報告といった性格を有する画像であり、従来の通信装置は、このような画像を速やかに相手に送信せんとするものであり、送受信される画像は面白みに欠けるものであった。
【０００６】
また、画像に手を加えてプリンタに印刷する装置は、撮影者が自らどのように画像を加工するかを予め定めるものであり、加工の結果として得られる画像を閲覧したり想像したりすることができるものであり、意外性のある画像が得られるものではなかった。
【０００７】
本発明は、上述した如き課題に鑑みてなされたものであり、画像を送信した者が認識し得ない画像を表示することにより、画像を受信した者に面白みや意外性を感じさせたり、撮影された場所が一体何処であるのかを想像させたりする可能性のある通信装置を提供することにある。
【０００８】
【課題を解決するための手段】
以上のような目的を達成するために、本発明においては、撮影された画像に、撮影画像と独立しかつ撮影画像の撮影者の意思とは無関係な画像を加えて送受信されることを特徴とする。
【０００９】
即ち、一の通信装置において、撮影された画像にその撮影者の意思とは無関係な画像が加えられて他の通信装置に送信され、他の通信装置においてその画像が受信され表示されるものは本発明に含まれるものである。
【００１０】
（１）  文字情報を含む通信情報が送受信される送受信部と、前記通信情報を表示する表示部と、を有する通信装置であって、前記送受信部において、被写体が撮影された撮影画像が受信され、かつ、前記撮影画像は、前記撮影画像と独立しかつ前記撮影画像の撮影者の意思とは無関係な画像が加えられて前記表示部に表示される通信装置。
【００１１】
上述した（１）の発明によれば、撮影画像の撮影者の意思とは無関係な画像が加えられて表示されるので、その画像を見た者に意外性を与えたり、一体何処で撮影されたのかを想像させたり、その画像を送った人に連絡をつけようとして交流を深めたりすることができる。
【００１２】
（２）  文字情報を含む通信情報が送受信される送受信部と、前記通信情報を表示する表示部と、を有する通信装置であって、前記送受信部において、被写体が撮影された撮影画像と当該撮影がされた位置を示す位置情報とが受信され、かつ、前記撮影画像は、前記撮影画像と独立しかつ前記位置情報に基づく画像が加えられて前記表示部に表示される通信装置。
【００１３】
上述した（２）の発明は、撮影された位置に基づく画像が加えられて表示されるので、撮影された位置に因んだ画像が表示されることとなり、一体どのようにして撮影したのだろうかとか、一体何処に行って撮影したのだろうかとか、画像を受け取った者に想像させることができ、画像を送信した者に連絡をしたりすることにより、送信者と受信者との間の交流を深めることができる可能性が生ずる。
【００１４】
（３）  音声情報を含む通信情報が送受信される送受信部を有する通信装置であって、被写体が撮影される撮影手段を有し、かつ、前記撮影手段により取り込まれた撮影画像は、前記撮影画像と独立しかつ前記撮影画像の撮影者の意思とは無関係な画像が加えられて、前記通信情報として送信されることを特徴とする通信装置。
【００１５】
上述した（３）の発明によれば、撮影画像の撮影者の意思とは無関係な画像が加えられて送信されるので、どのよう画像が送信されたのだろうかと想像させたり、期待させたりすることができ、また、送信した者からの返事を楽しみにして待つことができ、送信者と受信者との間の交流を深めたりすることができる可能性が生ずる。
【００１６】
（４）  音声情報を含む通信データが送受信される送受信部を有する通信装置であって、被写体が撮影される撮影手段を有し、かつ、前記送受信部において、当該撮影がされた位置を示す位置情報が受信され、前記撮影手段により取り込まれた撮影画像は、前記撮影画像と独立しかつ前記位置情報に基づく画像が加えられて、前記通信情報として送信されることを特徴とする通信装置。
【００１７】
上述した（４）の発明は、撮影された位置に基づく画像が加えられて送信されるので、どのような画像が加えられて送信されたのかを想像させることができ、送信した者からの返事がどんなものであるかを期待することとなり、送信した者との交流を深めるきっかけとすることができる。
【００１８】
（５）  前記「前記撮影画像と独立しかつ前記撮影画像の撮影者の意思とは無関係な画像」は、予め用意された複数の画像から選択される画像であることを特徴とする請求項１又は３記載の通信装置。
【００１９】
撮影者の意思とは無関係な画像は、予め用意された複数の画像から選択されるので、速やかに画像を生成して表示することができる。
【００２０】
［用語の定義等］
「撮影画像と独立し」た「画像」とは、単独で存在し得る画像を意味するものであり、撮影画像に束縛や支配されたり、関連付けられたりすることなく画像として存在し得る画像を示す概念である。
【００２１】
「撮影者の意思とは無関係な画像」とは、撮影者が題材として採用しようとか、演出の一部として採用しようとか、構図の一部として取り入れようとかの、撮影者の意図や希望に関係なく定められ得る画像を示す概念である。
【００２２】
「撮影がされた位置を示す位置情報」が「受信」とは、緯度や経度等の撮影がなされた位置を得ることができる情報を示す概念である。
【００２３】
「位置情報に基づく画像」とは、緯度や経度等の位置情報を元にして、その撮影がなされた位置に何らかの関連があるものと推定できる画像を示す概念である。
【００２４】
尚、後述する携帯電話１０や携帯端末３０や、コンピュータ４０から通信装置が構成され、アンテナ２０と通信Ｉ／Ｆ１１６や、ＧＰＳ装置から送受信部が構成され、表示部２２から表示部が構成され、ディジタルカメラ２８から撮影手段が構成される。
【００２５】
【発明の実施の形態】
以下に、本発明の実施例について図面に基づいて説明する。
【００２６】
撮影機能付き携帯電話１０の概観を図１に示す。尚、図１（ａ）は、正面から見たときのものであり、図１（ｂ）は、背面から見たときのものである。
【００２７】
携帯電話１０の正面の下方には、文字入力キー１２や操作キー１４が配置されており、操作者は、この文字入力キー１２や操作キー１４を操作することにより、特定の相手に電話をかけたり、かかってきた電話を受けたりすることができるのである。
【００２８】
携帯電話１０の正面の下側には、マイク１６が設けられ、正面の上側には、スピーカ１８が設けられている。操作者が通話するときには、操作者はマイク１６に向かって声を発するとともに、スピーカ１８に耳を当ててスピーカ１８から発せられる音声を聞き取るのである。
【００２９】
また、携帯電話１０の正面の上面には、アンテナ２０が設けられており、電波を送信したり受信したりすることにより、通話することができるのである。
【００３０】
更に、携帯電話１０の正面の上側には、液晶ディスプレイパネルからなる表示部２２が設けられており、電話を使用とする電話番号や、かかってきた相手方の電話番号が表示される。更にまた、メール等の文字情報を送受信するような場合には、そのメールの内容が表示部２２に表示されるのである。
【００３１】
図１（ｂ）に示す如く、携帯電話１０の背面には、ディジタルカメラ（図示せず）のレンズ部２４と、撮影のタイミングを定めるシャッタ２６とが設けられている。レンズ部２４の裏側には、撮像素子（図示せず）が設けられており、レンズ２４は、撮像素子において撮影対象が結像するようになされている。携帯電話１０をディジタルカメラとして用いるときには、操作者は、レンズ部を撮影対象の方向に向ける。このとき、撮影しようとする撮影対象の画像は、速やかに上述した表示部２２に表示される。このため、操作者は、撮影対象の明るさや大きさ等を表示部２２で視認しながら撮影することができるのである。撮影するタイミングのときには、操作者は、シャッタ２６を押動操作し、そのときに撮像素子において結像していた画像を画像情報として後述する画像用メモリに記憶し、撮影動作が完了する。
【００３２】
上述した携帯電話１０と携帯電話回線網との関係を図２に示す。
【００３３】
携帯電話１０は、その携帯電話１０の近傍に位置するベースステーション５を介して携帯電話回線網３に接続することができ、相手方の携帯電話１０に送受信可能に接続することができる。
【００３４】
通話をする際には、ベースステーション５と携帯電話回線網３とを介して携帯電話１０同士が接続された状態となる。また、このような構成としたときには、通話のみならず、メール等の文字情報や、ディジタルカメラで撮影した画像情報も、接続されて通信可能になっている携帯電話に直接送受信することができるのである。
【００３５】
上述した図２に示す例は、携帯電話１０同士が直接通話を行う場合を示すものであるが、図３に示すごとく、サーバ４を介して送受信を行うこととしてもよい。
【００３６】
サーバ４は、携帯電話回線網３と公衆電話回線６を介して接続されている。サーバ４を含む構成としたときには、サーバ４は、いわゆるメッセージセンタとしての役割を果たし、メール等の文字情報や、ディジタルカメラで撮影した画像情報は、一旦サーバ４内に記憶され、メール等がサーバ４に届けられているか否かの確認要求が携帯電話から送られてきたときには、サーバ４に記憶しているメールや画像を要求をしてきた携帯電話に送信するのである。
【００３７】
また、サーバ４は、文字情報や画像情報の管理のみならず、留守番電話サービス等の音声情報の管理等も行うことができる。
【００３８】
上述した図２及び図３の例においては、携帯電話１０は、その近傍に位置するベースステーション５との送受信を行うことにより、ベースステーション５から送信された位置情報からベースステーションの位置を得ることができ、このベースステーションの位置を携帯電話１０の位置とすることにより、携帯電話１０の位置を得ることができるのである。
【００３９】
また、携帯電話１０にＧＰＳ（global positioning system）装置（図示せず）を接続し、ＧＰＳ装置から得られる緯度及び経度情報から携帯電話１０の現在位置を検出することとしてもよい。
【００４０】
更に、上述した図２及び図３の例においては、携帯電話１０の間でのみにおける送受信をする構成を示したが、図４に示す如く、携帯端末３０や、コンピュータ４０や、ノート型コンピュータ等の通信可能であり画像を表示できる機器から構成することとしてもよい。このような構成とした場合には、モデムやターミナルアダプタ等の通信制御処理装置（図示せず）や携帯電話等の通信装置（図示せず）を接続することにより、通信可能にすることができるのである。
【００４１】
また、ＧＰＳ（global positioning system）装置（図示せず）を接続することにより、携帯端末３０や、コンピュータ４０の現在位置を得ることができるのである。
【００４２】
上述した携帯電話１０のハードウエア構成を示すブロック図を図５に示す。
【００４３】
携帯電話１０において、バスライン１０２には中央処理装置（以下、ＣＰＵと称する）１０４、ＲＯＭ（リードオンリーメモリ）１０６、ＲＡＭ（ランダムアクセスメモリ）１０８が接続されている。ＣＰＵ１０４は、ＲＯＭ１０６やＲＡＭ１０８に格納されたプログラムにしたがって各部を制御する。
【００４４】
バスライン１０２には、入力インターフェイス（以下、入力Ｉ／Ｆと称する）１１０を介して、上述した文字入力キー１２や操作キー１４が接続されている。この入力Ｉ／Ｆ１１０には、上述したディジタルカメラ２８とシャッタ２６も接続されており、操作者がシャッタ２６を押動操作したときには、ディジタルカメラ２８の撮像素子（図示せず）において結像していた画像が画像情報として、入力Ｉ／Ｆに供給され、バスライン１０２を介して後述する画像情報用メモリ１２２に記憶されるのである。
【００４５】
また、バスライン１０２には表示部２２の制御を行う表示回路１１２や、マイク１６やスピーカ１８の制御を行うサウンド処理回路１１４や、アンテナ２０を介して携帯電話回線網３との間で情報の送受信を行う通信インターフェイス（以下、通信Ｉ／Ｆと称する）１１６が接続されている。
【００４６】
更に、バスライン１０２には、文字情報用メモリ１２０、画像情報用メモリ１２２も接続されている。文字情報用メモリ１２０は、文字入力キー１２から入力された電話番号やメールアドレスやメールの内容等の文字情報や、アンテナ２０及び通信Ｉ／Ｆ１１６を介して受信されたメール等の文字情報を記憶する。一方、画像情報用メモリ１２２は、上述したデジタルカメラ２８から送出された画像情報や、アンテナ２０及び通信Ｉ／Ｆ１１６を介して受信された画像情報を記憶する。
【００４７】
更にまた、バスライン１０２には、付加画像情報用メモリ１２４も接続されている。この付加画像情報用メモリ１２４は、後述する図７に示す如く、ディジタルカメラ２８において撮影された画像に加えられる画像を記憶するもので、予め複数の画像情報が記憶されており、これらの複数の画像情報には、識別番号が付されており、識別番号が指定されると、その識別番号に対応した画像情報が付加画像情報用メモリ１２４から読み出され、ディジタルカメラ２８で撮影された画像に合成されるのである。
【００４８】
携帯電話１０や、携帯端末３０や、コンピュータ４０を上述した如き構成としたことにより、「文字情報を含む通信情報が送受信される送受信部と、前記通信情報を表示する表示部と、を有する通信装置」や、「音声情報を含む通信情報が送受信される送受信部を有する通信装置」をなし得るのである。
【００４９】
また、「前記送受信部において、被写体が撮影された撮影画像が受信され」ることや、「前記送受信部において、被写体が撮影された撮影画像と当該撮影がされた位置を示す位置情報とが受信され」ることをもなし得るのである。
【００５０】
更に、「被写体が撮影される撮影手段」をもなし得るのである。
【００５１】
［第１実施例］
上述した携帯電話１０において実行される処理を示すサブルーチンを図６に示す。尚、この図６においては、画像を送信する側の携帯電話を画像送信側携帯電話と称し、画像を受信する側の携帯電話を画像受信側携帯電話と称する。
【００５２】
最初に、画像送信側携帯電話において、操作者がシャッタ２６を押動操作することにより撮影対象を撮影する処理が行われる（ステップＳ１１）。撮影された画像は、撮影画像情報として画像情報用メモリ１２２の所定の記憶領域に記憶される。
【００５３】
次に、付加画像を選択する（ステップＳ１２）。この選択は、上述したＣＰＵ１０４の演算処理により乱数を発生させ、発生させた乱数の値を付加画像の識別番号として、その識別番号に対応する付加画像情報を上述した付加画像情報用メモリ１２４から読み出すことにより行われるのである。
【００５４】
上述した付加画像情報用メモリ１２４の概略の構成を図７に示す。
【００５５】
所定の記憶領域ごとに複数の付加画像情報が付加画像情報用メモリ１２４に記憶されている。上述した如く、付加画像情報の各々には識別番号が付されており、この識別番号は、付加画像情報用メモリ１２４におけるアドレス値と対応するようになされている。このようにすることで、ＣＰＵ１０４が乱数を発生したときには、その乱数の値を識別番号とし、その識別番号に対応したアドレスに記憶されている付加画像情報を付加画像情報用メモリ１２４から読み出すのである。
【００５６】
例えば、ＣＰＵ１０４が乱数を発生し、その乱数の値が４７であるときには、識別番号は４７であり、その識別番号に対応するアドレス値に記憶されている付加画像情報４７を読み出すのである。
【００５７】
上述したステップＳ１２の処理の後、ステップＳ１１において撮影されて記憶されている画像情報を読み出し、ステップＳ１２において選択された付加画像情報を読み出し、これらの画像を合成し、合成して得られた画像を画像情報用メモリ１２２に記憶する（ステップＳ１３）。
【００５８】
上述したステップＳ１３における合成処理の態様を図８に示す。尚、図８（ａ）は、画像情報用メモリ１２２の概略の構成を示すものであり、図８（ｂ）は、付加画像情報用メモリ１２４の概略の構成を示すものである。
【００５９】
ＣＰＵ１０４は、ステップＳ１１において撮影されて、画像情報用メモリ１２２に記憶されている撮影画像情報１１（図８（ａ））を読み出すとともに、ステップＳ１２において選択された付加画像情報４７（図８（ｂ））を読み出す。この２つの画像情報を、ＡＮＤ演算や、ＸＯＲ演算等の論理演算を施すことにより、画像情報の合成処理を行う。合成して得られた画像を画像情報用メモリ１２２の空き領域に記憶するのである。
【００６０】
より具体的な処理手順を図９に示す。
【００６１】
最初に、上述した如く、ステップＳ１１において撮影されて、画像情報用メモリ１２２に記憶されている撮影画像情報１１を読み出す（ステップＳ２０１）。これにより、得られる画像の例を図１０（ａ）に示す。この図１０（ａ）の例においては、撮影対象はロボットと市街地の風景である。
【００６２】
次に、輪郭抽出処理を行う（ステップＳ２０２）。図１０に示す例においては、ロボットの輪郭を抽出するもので、輪郭抽出処理の結果、図１０（ｂ）に示す如きロボットのみの画像が得られるのである。
【００６３】
次いで、付加画像情報を読み出す（ステップＳ２０３）。この処理をすることにより、例えば、図１０（ｃ）に示す如き山と湖の風景の画像が選択されるのである。
【００６４】
次に合成処理をする（ステップＳ２０４）。これにより、図１０（ｄ）に示す如く、ロボットが山と湖とを背景としてたたずむ画像が合成されるのである。
【００６５】
この後、合成した画像を、上述した如く、画像情報用メモリ１２２に記憶して（ステップＳ２０５）、本サブルーチンを終了する。
【００６６】
上述した図９に示した処理を実行することにより、「前記撮影画像は、前記撮影画像と独立しかつ前記撮影画像の撮影者の意思とは無関係な画像が加えられ」ることや、「前記撮影画像は、前記撮影画像と独立しかつ前記位置情報に基づく画像が加えられ」ることをなし得るのである。
【００６７】
また、図７、図８及び図９の処理を実行することにより、「前記「前記撮影画像と独立しかつ前記撮影画像の撮影者の意思とは無関係な画像」は、予め用意された複数の画像から選択される画像であること」をなし得るのである。
【００６８】
尚、上述した例においては、付加画像は、風景等を示す背景画像である場合を示したが、付加画像は、背景画像に限られず、人物や動物や幽霊等の動体物を模したキャラクタ画像等の画像でもよい。
【００６９】
上述した図６のステップＳ１３の処理を実行した後、ステップＳ１３において合成した画像を画像受信側携帯電話に送信する（ステップＳ１４）。
【００７０】
画像受信側携帯電話においては、送信された合成画像を受信し（ステップＳ５１）、受信した合成画像を画像受信側携帯電話の表示部２２に表示するのである（ステップＳ５２）。
【００７１】
［第２実施例］
上述した実施例においては、画像送信側携帯電話で、撮影画像と付加画像とを合成し、合成した画像を画像受信側携帯電話に送信する例を示したが、撮影画像と付加画像とを合成することなく送信し、画像受信側携帯電話において撮影画像と付加画像とを合成することとしてもよい。このようにすることで、画像送信側携帯電話において処理することなく送信することができるのである。
【００７２】
この場合の処理手順を図１１に示す。尚、図６に示した手順と同様の処理は同一の符号を付して示した。
【００７３】
ステップＳ１１及びステップ１２は、図６と同様の処理を行う。次に、撮影画像情報と選択された付加画像情報とを画像受信側携帯電話に送信する（ステップＳ２１）。
【００７４】
画像受信側携帯電話においては、画像送信側携帯電話から送信された撮影画像情報と付加画像情報とを受信する（ステップＳ６１）。次いで、撮影画像情報と付加画像情報とを合成する処理を行う（ステップＳ６２）。このステップＳ６２の処理は、上述した図６のステップＳ１３の処理と同様のものであり、具体的には、図９のサブルーチンにより行われるものである。次に、合成された合成画像情報を画像受信側携帯電話の表示部２２に表示する（ステップＳ５２）。
【００７５】
［第３実施例］
更に、付加画像情報を画像受信側携帯電話に記憶されているものを用いることとしてもよい。このようにすることで、付加画像情報を送信する必要がなくなるので、画像情報の送信を速やかに終わらせることができるのである。この場合の処理手順を図１２に示す。尚、図６及び図１１に示した手順と同様の処理は同一の符号を付して示した。
【００７６】
ステップＳ１１においては、図６におけるものと同様の処理を行う。次いで、撮影した撮影画像情報を画像受信側携帯電話に送信する（ステップＳ３１）。
【００７７】
画像受信側携帯電話においては、画像送信側携帯電話から送信された撮影画像情報を受信し（ステップＳ７１）、付加画像を選択する（ステップＳ７２）。この付加画像の選択は、上述した図６に示したステップＳ１２における画像送信側携帯電話の処理と同様の処理を画像受信側携帯電話においてするものである。
【００７８】
次に、受信した撮影画像と選択した付加画像情報とを合成する（ステップＳ６２）。この合成処理は、図１１におけるステップＳ６２と同様の処理を行うものである。次に、合成処理により得られた合成画像を画像受信側携帯電話の表示部２２に表示する（ステップＳ５２）。
【００７９】
［第４実施例〜第６実施例］
上述した図６、図１１及び図１２に示した実施例においては、ＣＰＵの演算処理により乱数を発生させてその乱数の値に応じて付加画像を選択するものであった。上述した如く、携帯電話１０は、その近傍に位置するベースステーション５との送受信を行うことにより、ベースステーション５から送信されたベースステーション５の位置情報を携帯電話１０の位置とすることにより、携帯電話１０の位置を得ることができる。
【００８０】
［第４実施例］
撮影画像情報に付加する付加画像情報を位置情報に応じて選択することとしてもよい。このような場合の処理手順を図１３に示す。尚、図６に示したサブルーチンと同様の処理については同一の符号を付して示した。
【００８１】
最初に、撮影対象を撮影する処理が行われる（ステップＳ１１）。この処理は図６に示したステップＳ１１と同様の処理である。
【００８２】
次に、ベースステーション５と送受信を行い画像送信側携帯電話の近傍に位置するベースステーション５の位置を示す位置情報を受信する（ステップＳ４１）。この処理により得られた位置を画像送信側携帯電話の位置とするのである。次いで、得られた位置情報に基づいて付加画像情報を選択する（ステップＳ４２）。
【００８３】
例えば、得られた位置情報から画像送信側携帯電話の位置の近くに遊園地があると判別したときには、その遊園地のキャラクタを示す画像を付加画像として選択するのである。
【００８４】
また、画像送信側携帯電話の位置の近くに墓場があると判別したときには、幽霊の如き画像を付加画像として選択するのである。
【００８５】
更に、ステップＳ４２の処理においては、ステップＳ４１において得られた位置情報のみならず、受信強度の履歴を用いて付加画像を選択することとしてもよい。例えば、受信強度が徐々に弱くなっていく場合には、画像送信側携帯電話の操作者が、人里から離れていくと判別し、付加画像として山や海の風景を示す画像を選択するのである。また、受信強度の強弱が極端に変化するような場合には、画像送信側携帯電話の操作者が建物や地下に頻繁に出入りしていると判別し、その建物の画像や地下鉄の画像を付加画像として選択するのである。
【００８６】
上述したステップＳ４２の処理をした後、図６に示したサブルーチンと同様のステップＳ１３及びＳ１４の処理を実行する。
【００８７】
この後、画像送信側携帯電話から合成画像情報が送信された画像受信側携帯電話においては、図６に示したサブルーチンと同様のステップＳ５１及びＳ５２の処理を実行するのである。
【００８８】
［第５実施例］
上述した図１３に示した実施例は、撮影画像情報と付加画像情報とを画像送信側携帯電話において合成し、合成した画像を画像受信側携帯電話に送信する場合を示したものである。この撮影画像情報と付加画像情報とを合成することなく画像受信側携帯電話に送信することとしてもよい。この場合の処理手順を図１４に示す。尚、図１１及び図１３に示したサブルーチンと同様の処理については同一の符号を付して示した。
【００８９】
最初に、撮影対象を撮影する処理が行われ（ステップＳ１１）、ベースステーション５と送受信を行い画像送信側携帯電話の近傍に位置するベースステーション５の位置を示す位置情報を受信し（ステップＳ４１）、得られた位置情報に基づいて付加画像情報を選択する（ステップＳ４２）。これらの処理は図１３に示したステップＳ１１、ステップＳ４１及びステップＳ４２と同様の処理である。
【００９０】
次に、撮影画像情報と選択された付加画像情報とを画像受信側携帯電話に送信する（ステップＳ２１）。この処理は、図１１に示したステップＳ２１と同様の処理である。
【００９１】
上述した処理をすることにより、撮影画像情報と選択された付加画像情報とを画像受信側携帯電話に送信することができるのである。画像送信側携帯電話から送信された画像受信側携帯電話は、図１１に示したステップＳ６１、ステップＳ６２及びステップＳ５２と同様の処理を行うことにより、画像受信側携帯電話の表示部２２に撮影画像情報と付加画像情報とが合成された合成画像が表示されることとなるのである。
【００９２】
［第６実施例］
上述した図１３又は図１４に示した実施例は、画像送信側携帯電話において付加画像情報を選択するものであったが、画像受信側携帯電話において付加画像情報を選択することとしてもよい。この場合の処理手順を図１５に示す。尚、図１４に示した手順と同様の処理は同一の符号を付して示した。
【００９３】
最初に、撮影対象を撮影する処理が行われる（ステップＳ１１）。この処理は図１４に示したステップＳ１１と同様の処理である。次に、ベースステーション５と送受信を行い画像送信側携帯電話の近傍に位置するベースステーション５の位置を示す位置情報を受信する（ステップＳ４１）。この処理は図１４に示したステップＳ４１と同様の処理である。
【００９４】
次に、ステップＳ１１において撮影された撮影画像情報と、ステップＳ４１において得られた位置情報と、を画像受信側携帯電話に送信する（ステップＳ４３）。このように撮影画像情報と位置情報とを送信することとしたことにより、送信に要する時間を短縮することができるのである。
【００９５】
画像送信側携帯電話から撮影画像情報と位置情報とが送信された画像受信側携帯電話においては、撮影画像情報と位置情報とを受信する（ステップＳ８１）。
【００９６】
次いで、受信した位置情報に基づいて付加画像を選択する（ステップＳ８２）。このステップＳ８２の処理は、画像送信側携帯電話において処理される図１３に示したステップＳ４２と同様の処理を画像受信側携帯電話において行うものである。
【００９７】
このようにして選択された付加画像情報と撮影画像情報とを合成し（ステップＳ６２）、合成画像情報を画像受信側携帯電話の表示部２２に表示する（ステップＳ５２）。尚、このステップＳ６２とステップＳ５２との処理は、図１４のステップＳ６２及びステップＳ５２の処理と同様の処理である。
【００９８】
［第７実施例〜第１４実施例］
上述した図６及び図１１〜図１５に示したサブルーチンは、画像送信側携帯電話から画像受信側携帯電話へ、画像情報や位置情報が直接送信される場合の例を示すものであった。上述した図４に示した如く、サーバ４を介してこれらの情報を画像送信側携帯電話から画像受信側携帯電話へ送信することとしてもよい。このような場合の処理を以下に示す。
【００９９】
［第７実施例］
図１６に示す例は、サーバ４において、合成画像を一旦保存するものの例を示すものである。尚、図６に示したサブルーチンと同様の処理をするものについては、同一の符号を付して示した。
【０１００】
最初に、撮影対象を撮影する処理し（ステップＳ１１）、付加画像を選択する（ステップＳ１２）。この選択は、上述したＣＰＵ１０４の演算処理により乱数を発生させ、発生させた乱数の値を付加画像の識別番号として、その識別番号に対応する付加画像情報を上述した付加画像情報用メモリ１２４から読み出すことにより行うものである。
【０１０１】
次に、ステップＳ１１において撮影されて記憶されている画像情報を読み出し、ステップＳ１２において選択された付加画像情報を読み出し、これらの画像を合成し（ステップＳ１３）、合成した画像をサーバ４に送信する（ステップＳ１４）。
【０１０２】
上述したステップＳ１１〜ステップＳ１４の処理は、図６に示したステップＳ１１〜ステップＳ１４の処理と同様のものである。
【０１０３】
サーバ４は、画像送信側携帯電話から送信された合成画像情報を受信し（ステップＳ１０１）、受信した合成画像情報を一旦記憶する。
【０１０４】
画像受信側携帯電話から送信要求がなされ、サーバ４と画像受信側携帯電話との間で通信可能な状態が確立したときに、サーバ４は、画像受信側携帯電話に合成画像情報を送信するのである（ステップＳ１０２）。
【０１０５】
画像受信側携帯電話は、サーバ４から送信された合成画像情報を受信し（ステップＳ５１）、受信した合成画像情報を画像受信側携帯電話の表示部２２に表示するのである（ステップＳ５２）。このステップＳ５１及びステップＳ５２の処理は、上述した図６のステップＳ５１及びステップＳ５２の処理と同様の処理をするものである。
【０１０６】
［第８実施例］
上述した図１６に示した実施例は、画像送信側携帯電話において合成画像情報を生成し、合成画像情報をサーバ４に送信する場合の例を示すものであったが、サーバ４において合成画像情報を生成することとしてもよい。このような構成とすることにより、処理能力が高いサーバを用いた場合には、速やかに合成画像を生成することができるのである。このような場合の処理手順を図１７に示す。尚、図１１及び図１６に示した手順と同様の処理は同一の符号を付して示した。
【０１０７】
最初に、撮影対象を撮影する処理が行い（ステップＳ１１）、付加画像を選択する（ステップＳ１２）。次いで、撮影画像情報と選択された付加画像情報とをサーバ４に送信する（ステップＳ２１）。尚、このステップＳ１１、ステップ１２及びステップ２１の処理は、図１１と同様の処理を行う。
【０１０８】
サーバ４は、画像送信側携帯電話から送信された撮影画像情報と付加画像情報とを受信する（ステップＳ１１１）。次いで、受信した撮影画像情報と付加画像情報とを合成する（ステップＳ１１２）。この合成処理は、上述した図１６のステップＳ１３の処理と同様の処理をサーバ４においてするものである。
【０１０９】
次に、画像受信側携帯電話から送信要求がなされ、サーバ４と画像受信側携帯電話との間で通信可能な状態が確立したときに、サーバ４は、画像受信側携帯電話に合成画像情報を送信する（ステップＳ１０２）。このステップＳ１０２の処理は、上述した図１６のステップＳ１０２と同様の処理をするものである。
【０１１０】
一方、画像受信側携帯電話は、サーバ４から送信された合成画像情報を受信し（ステップＳ５１）、受信した合成画像情報を画像受信側携帯電話の表示部２２に表示する（ステップＳ５２）。このステップＳ５１及びステップＳ５２の処理は、上述した図１６のステップＳ５１及びステップＳ５２の処理と同様の処理をするものである。
【０１１１】
［第９実施例］
上述した図１７に示した実施例は、画像送信側携帯電話からサーバ４に撮影画像と付加画像情報とが送信される場合を示すものであったが、サーバ４において付加画像情報を選択することとしてもよい。このような構成とすることにより、サーバ４に予め記憶されている付加画像を選択することができることとなり、画像情報を記憶するための記憶装置の記憶容量の制限を受けることなく付加画像を予め十分に用意することができるとともに、処理能力が高いサーバを用いた場合には、速やかに合成画像を生成することができるのである。
【０１１２】
このような場合の処理手順を図１８に示す。尚、図１２及び図１７に示した手順と同様の処理は同一の符号を付して示した。
【０１１３】
最初に、撮影対象を撮影する処理が行い（ステップＳ１１）、撮影した撮影画像情報をサーバ４に送信する（ステップＳ３１）。このステップＳ１１及びステップＳ３１の処理は図１２に示したステップＳ１１及びステップＳ３１と同様の処理である。
【０１１４】
サーバ４は、画像送信側携帯電話から送信された撮影画像情報を受信し（ステップＳ１２１）、付加画像を選択する（ステップＳ１２２）。このステップＳ１２２における付加画像情報の選択処理は、上述した図１７に示したステップＳ１２の同様の処理をサーバ４においてするものである。
【０１１５】
次に、ステップＳ１２１において受信した撮影画像情報と、ステップＳ１２２において選択された付加画像情報と、を合成する（ステップＳ１１２）。この処理は、上述した図１７のステップＳ１１２の処理と同様の処理である。
【０１１６】
次に、画像受信側携帯電話から送信要求がなされ、サーバ４と画像受信側携帯電話との間で通信可能な状態が確立したときに、サーバ４は、画像受信側携帯電話に合成画像情報を送信する（ステップＳ１０２）。このステップＳ１０２の処理は、上述した図１７のステップＳ１０２と同様の処理をするものである。
【０１１７】
画像受信側携帯電話は、サーバ４から送信された合成画像情報を受信し（ステップＳ５１）、受信した合成画像情報を画像受信側携帯電話の表示部２２に表示する（ステップＳ５２）。このステップＳ５１及びステップＳ５２の処理は、上述した図１７のステップＳ５１及びステップＳ５２の処理と同様の処理をするものである。
【０１１８】
［第１０実施例］
上述した図１８に示した実施例は、サーバ４において付加画像情報が選択され合成画像情報を生成する場合を示すものであったが、合成処理を画像受信側携帯電話において処理することとしてもよい。このようにすることでサーバの負荷を軽減することができるのである。
【０１１９】
このような場合の処理手順を図１９に示す。尚、図１１、図１２及び図１８に示した手順と同様の処理は同一の符号を付して示した。
【０１２０】
最初に、撮影対象を撮影する処理を行い（ステップＳ１１）、撮影した撮影画像情報をサーバ４に送信する（ステップＳ３１）。このステップＳ１１及びステップＳ３１の処理は図１２に示したステップＳ１１及びステップＳ３１と同様の処理である。
【０１２１】
サーバ４は、画像送信側携帯電話から送信された撮影画像情報を受信し（ステップＳ１２１）、付加画像を選択する（ステップＳ１２２）。このステップＳ１２１及びステップＳ１２２における付加画像情報の選択処理は、上述した図１８のステップＳ１２１及びステップＳ１２２とい同様の処理である。
【０１２２】
次に、画像受信側携帯電話から送信要求がなされ、サーバ４と画像受信側携帯電話との間で通信可能な状態が確立したときに、サーバ４は、画像受信側携帯電話に撮影画像情報と付加画像情報とを送信する（ステップＳ１３１）。
【０１２３】
画像受信側携帯電話は、サーバ４から送信された撮影画像情報と付加画像情報とを受信し（ステップＳ６１）、撮影画像情報と付加画像情報とを合成する処理を行う（ステップＳ６２）。このステップＳ６１及びＳ６２の処理は、上述した図１１のステップＳ６１及びＳ６２の処理と同様のものであり、具体的には、図９のサブルーチンにより行われるものである。次に、合成された合成画像情報を画像受信側携帯電話の表示部２２に表示する（ステップＳ５２）。
【０１２４】
［第１１実施例］
上述した図１６〜図１９に示した実施例は、乱数により付加画像情報を選択する場合を示したが、画像送信側携帯電話の位置を得て、その位置情報に基づいて付加画像情報を選択することとしてもよい。このような例を以下に示す。
【０１２５】
画像送信側携帯電話において、位置情報に基づいて付加画像情報を選択し合成画像を生成する例を図２０に示す。尚、図１３及び図１６に示したサブルーチンと同様の処理については同一の符号を付して示した。
【０１２６】
最初に、撮影対象を撮影する処理が行われる（ステップＳ１１）。この処理は図１３に示したステップＳ１１と同様の処理である。
【０１２７】
次に、ベースステーション５と送受信を行い画像送信側携帯電話の近傍に位置するベースステーション５の位置を示す位置情報を受信する（ステップＳ４１）。この処理により得られた位置を画像送信側携帯電話の位置とするのである。次いで、得られた位置情報に基づいて付加画像情報を選択する（ステップＳ４２）。
【０１２８】
例えば、得られた位置情報から画像送信側携帯電話の位置の近くに遊園地があると判別したときには、その遊園地のキャラクタを示す画像を付加画像として選択するのである。
【０１２９】
また、画像送信側携帯電話の位置の近くに墓場があると判別したときには、幽霊の如き画像を付加画像として選択するのである。
【０１３０】
更に、ステップＳ４２の処理においては、ステップＳ４１において得られた位置情報のみならず、受信強度の履歴を用いて付加画像を選択することとしてもよい。例えば、受信強度が徐々に弱くなっていく場合には、画像送信側携帯電話の操作者が、人里から離れていくと判別し、付加画像として山や海の風景を示す画像を選択するのである。また、受信強度の強弱が極端に変化するような場合には、画像送信側携帯電話の操作者が建物や地下に頻繁に出入りしていると判別し、その建物の画像や地下鉄の画像を付加画像として選択するのである。
【０１３１】
上述したステップＳ４２の処理をした後、図１３に示したサブルーチンと同様のステップＳ１３及びＳ１４の処理を実行する。尚、図２０に示したステップＳ１４は、図１３に示したステップＳ１４とは異なり、サーバ４に合成画像情報を送信するのである。
【０１３２】
サーバ４は、画像送信側携帯電話から送信された合成画像情報を受信し（ステップＳ１０１）、受信した合成画像情報を一旦記憶する。
【０１３３】
画像受信側携帯電話から送信要求がなされ、サーバ４と画像受信側携帯電話との間で通信可能な状態が確立したときに、サーバ４は、画像受信側携帯電話に合成画像情報を送信するのである（ステップＳ１０２）。
【０１３４】
画像受信側携帯電話は、サーバ４から送信された合成画像情報を受信し（ステップＳ５１）、受信した合成画像情報を画像受信側携帯電話の表示部２２に表示するのである（ステップＳ５２）。このステップＳ５１及びステップＳ５２の処理は、上述した図１６のステップＳ５１及びステップＳ５２の処理と同様の処理をするものである。
【０１３５】
［第１２実施例］
上述した図２０に示した実施例は、画像送信側携帯電話において合成された合成画像情報をサーバ４に送信する場合を示すものであったが、サーバ４において合成画像情報を生成することとしてもよい。このような構成とすることにより、処理能力が高いサーバを用いた場合には、速やかに合成画像を生成することができるのである。このような場合の処理手順を図２１に示す。尚、図１４及び図１７に示した手順と同様の処理は同一の符号を付して示した。
【０１３６】
最初に、撮影対象を撮影する処理が行われ（ステップＳ１１）、ベースステーション５と送受信を行い画像送信側携帯電話の近傍に位置するベースステーション５の位置を示す位置情報を受信し（ステップＳ４１）、得られた位置情報に基づいて付加画像情報を選択し（ステップＳ４２）、撮影画像情報と選択された付加画像情報とをサーバ４に送信する（ステップＳ２１）。これらの処理は、図１４に示したステップＳ１１、ステップＳ４１、ステップＳ４２及びステップＳ２１と同様の処理である。
【０１３７】
サーバ４は、画像送信側携帯電話から送信された撮影画像情報と付加画像情報とを受信する（ステップＳ１１１）。次いで、受信した撮影画像情報と付加画像情報とを合成する（ステップＳ１１２）。この合成処理は、上述した図２０のステップＳ１３の処理と同様の処理をサーバ４においてするものである。
【０１３８】
次に、画像受信側携帯電話から送信要求がなされ、サーバ４と画像受信側携帯電話との間で通信可能な状態が確立したときに、サーバ４は、画像受信側携帯電話に合成画像情報を送信する（ステップＳ１０２）。このステップＳ１０２の処理は、上述した図１７のステップＳ１０２と同様の処理をするものである。
【０１３９】
一方、画像受信側携帯電話は、サーバ４から送信された合成画像情報を受信し（ステップＳ５１）、受信した合成画像情報を画像受信側携帯電話の表示部２２に表示する（ステップＳ５２）。このステップＳ５１及びステップＳ５２の処理は、上述した図１７のステップＳ５１及びステップＳ５２の処理と同様の処理をするものである。
【０１４０】
［第１３実施例］
上述した図２１に示した実施例は、画像送信側携帯電話からサーバ４に撮影画像と付加画像情報とが送信される場合を示すものであったが、サーバ４において付加画像情報を選択することとしてもよい。このような構成とすることにより、サーバ４に予め記憶されている付加画像を選択することができることとなり、画像情報を記憶するための記憶装置の記憶容量の制限を受けることなく付加画像を予め十分に用意することができるとともに、処理能力が高いサーバを用いた場合には、速やかに合成画像を生成することができるのである。
【０１４１】
このような場合の処理手順を図２２に示す。尚、図１５及び図１７に示した手順と同様の処理は同一の符号を付して示した。
【０１４２】
最初に、撮影対象を撮影する処理が行われ（ステップＳ１１）、ベースステーション５と送受信を行い画像送信側携帯電話の近傍に位置するベースステーション５の位置を示す位置情報を受信し（ステップＳ４１）、ステップＳ１１において撮影された撮影画像情報と、ステップＳ４１において得られた位置情報と、を画像受信側携帯電話に送信する（ステップＳ４３）。このように撮影画像情報と位置情報とを送信することとしたことにより、送信に要する時間を短縮することができるのである。これらの処理は図１５に示したステップＳ１１、ステップＳ４１及びステップＳ４３と同様の処理である。
【０１４３】
画像送信側携帯電話から撮影画像情報と位置情報とが送信されたサーバ４においては、撮影画像情報と位置情報とを受信する（ステップＳ１４１）。
【０１４４】
次いで、受信した位置情報に基づいて付加画像を選択する（ステップＳ１４２）。この処理は、画像送信側携帯電話において処理される図２１に示したステップＳ４２と同様の処理をサーバ４において行うものである。
【０１４５】
次に、受信した撮影画像情報と付加画像情報とを合成する（ステップＳ１１２）。この合成処理は、上述した図２１に示したステップＳ１１２と同様に、図１６のステップＳ１３の処理と同様の処理をサーバ４においてするものである。
【０１４６】
次に、画像受信側携帯電話から送信要求がなされ、サーバ４と画像受信側携帯電話との間で通信可能な状態が確立したときに、サーバ４は、画像受信側携帯電話に合成画像情報を送信する（ステップＳ１０２）。このステップＳ１０２の処理は、上述した図１７のステップＳ１０２と同様の処理をするものである。
【０１４７】
一方、画像受信側携帯電話は、サーバ４から送信された合成画像情報を受信し（ステップＳ５１）、受信した合成画像情報を画像受信側携帯電話の表示部２２に表示する（ステップＳ５２）。このステップＳ５１及びステップＳ５２の処理は、上述した図１７のステップＳ５１及びステップＳ５２の処理と同様の処理をするものである。
【０１４８】
［第１４実施例］
上述した図２２に示した実施例は、サーバ４において付加画像情報が選択され合成画像情報を生成する場合を示すものであったが、合成処理を画像受信側携帯電話において処理することとしてもよい。このようにすることでサーバの負荷を軽減することができるのである。
【０１４９】
このような場合の処理手順を図２３に示す。尚、図１５、図１９及び図２２に示した手順と同様の処理は同一の符号を付して示した。
【０１５０】
最初に、撮影対象を撮影する処理が行われ（ステップＳ１１）、ベースステーション５と送受信を行い画像送信側携帯電話の近傍に位置するベースステーション５の位置を示す位置情報を受信し（ステップＳ４１）、ステップＳ１１において撮影された撮影画像情報と、ステップＳ４１において得られた位置情報と、を画像受信側携帯電話に送信する（ステップＳ４３）。このように撮影画像情報と位置情報とを送信することとしたことにより、送信に要する時間を短縮することができるのである。これらの処理は図１５に示したステップＳ１１、ステップＳ４１及びステップＳ４３と同様の処理である。
【０１５１】
画像送信側携帯電話から撮影画像情報と位置情報とが送信されたサーバ４においては、撮影画像情報と位置情報とを受信する（ステップＳ１４１）。
【０１５２】
次いで、受信した位置情報に基づいて付加画像を選択する（ステップＳ１４２）。これらの処理は、図２２に示したステップＳ１４１及びステップＳ１４２と同様の処理である。
【０１５３】
次に、画像受信側携帯電話から送信要求がなされ、サーバ４と画像受信側携帯電話との間で通信可能な状態が確立したときに、サーバ４は、画像受信側携帯電話に撮影画像情報と付加画像情報とを送信する（ステップＳ１３１）。この処理は、図１９に示したステップＳ１３１と同様の処理である。
【０１５４】
画像受信側携帯電話は、サーバ４から送信された撮影画像情報と付加画像情報とを受信し（ステップＳ６１）、撮影画像情報と付加画像情報とを合成する処理を行う（ステップＳ６２）。このステップＳ６２の処理は、上述した図６のステップＳ１３の処理と同様のものであり、具体的には、図９のサブルーチンにより行われるものである。次に、合成された合成画像情報を画像受信側携帯電話の表示部２２に表示する（ステップＳ５２）。
【０１５５】
尚、上述した実施例においては、通信装置として携帯電話を用いた場合を示したが、図４に示した如く、携帯端末や、パーソナルコンピュータ、更には、ノート型コンピュータ等の通信可能であり画像を表示できる機器であればよい。
【０１５６】
また、画像受信側携帯電話等の通信装置に、撮影された画像と付加された画像とが合成されて表示されればよく、合成処理をする装置は、上述した画像受信側携帯電話やサーバに限られず、画像が経由し得るその他の装置において合成処理をすることとしてもよい。
【０１５７】
【発明の効果】
本発明によれば、画像を受信した者に面白みや意外性を感じさせたり、撮影された場所が一体何処であるのかを想像させたりすることができる。
【図面の簡単な説明】
【図１】  本発明による携帯電話の概観を示す正面図及び背面図である。
【図２】  携帯電話からなるシステムの構成の例を示すブロック図である。
【図３】  携帯電話とサーバからなるシステムの構成の例を示すブロック図である。
【図４】  携帯電話、携帯端末、コンピュータ及びサーバからなるシステムの構成の１つの例を示すブロック図である。
【図５】  携帯電話、携帯端末及びコンピュータのハードウエア構成を示すブロック図である。
【図６】  本発明の第１実施例のサブルーチンを示すフローチャートである。
【図７】  付加画像情報用メモリ１２４の概略の構成を示す図である
【図８】  画像情報用メモリ１２２及び付加画像情報用メモリ１２４の概略の構成を示す図である
【図９】  撮影画像情報と付加画像情報とを合成する処理のサブルーチンを示すフローチャートである。
【図１０】  画像処理の一例を示す図である。
【図１１】  本発明の第２実施例のサブルーチンを示すフローチャートである。
【図１２】  本発明の第３実施例のサブルーチンを示すフローチャートである。
【図１３】  本発明の第４実施例のサブルーチンを示すフローチャートである。
【図１４】  本発明の第５実施例のサブルーチンを示すフローチャートである。
【図１５】  本発明の第６実施例のサブルーチンを示すフローチャートである。
【図１６】  本発明の第７実施例のサブルーチンを示すフローチャートである。
【図１７】  本発明の第８実施例のサブルーチンを示すフローチャートである。
【図１８】  本発明の第９実施例のサブルーチンを示すフローチャートである。
【図１９】  本発明の第１０実施例のサブルーチンを示すフローチャートである。
【図２０】  本発明の第１１実施例のサブルーチンを示すフローチャートである。
【図２１】  本発明の第１２実施例のサブルーチンを示すフローチャートである。
【図２２】  本発明の第１３実施例のサブルーチンを示すフローチャートである。
【図２３】  本発明の第１４実施例のサブルーチンを示すフローチャートである。
【符号の説明】
１０  携帯電話（通信装置）
２０  アンテナ（送受信部）
２２  表示部（表示部）
２８  ディジタルカメラ（撮影手段）
３０  携帯端末（通信装置）
４０  コンピュータ（通信装置）
１１６  通信Ｉ／Ｆ（送受信部）
【図１】
0004074449.tif 000002
【図２】
0004074449.tif 000003
【図３】
0004074449.tif 000004
【図４】
0004074449.tif 000005
【図５】
0004074449.tif 000006
【図６】
0004074449.tif 000007
【図７】
0004074449.tif 000008
【図８】
0004074449.tif 000009
【図９】
0004074449.tif 000010
【図１０】
0004074449.tif 000011
【図１１】
0004074449.tif 000012
【図１２】
0004074449.tif 000013
【図１３】
0004074449.tif 000014
【図１４】
0004074449.tif 000015
【図１５】
0004074449.tif 000016
【図１６】
0004074449.tif 000017
【図１７】
0004074449.tif 000018
【図１８】
0004074449.tif 000019
【図１９】
0004074449.tif 000020
【図２０】
0004074449.tif 000021
【図２１】
0004074449.tif 000022
【図２２】
0004074449.tif 000023
【図２３】
0004074449.tif 000024